(57)【特許請求の範囲】
【請求項１】
容器閉鎖栓（１００）に係合するための開封明示キャップ（２）であって、該キャップは、前記容器閉鎖栓に面する面と、裂断ストリップ（１７）を画定する予脆弱化領域（１４）とを有したパネル（１０）を有しており、前記裂断ストリップは、前記容器閉鎖栓に面する面から延在していてかつ前記容器閉鎖栓によって受容されるように構成された裂断ストリップピン（３０）を有していて、前記キャップはさらに、前記容器閉鎖栓に面する面から延在する側壁（１２）と、前記パネルの中央領域から軸方向に延在する中央ポスト（２０）とを有しており、前記中央ポストは、前記容器閉鎖栓に係合するように構成されている、開封明示キャップにおいて、
前記中央ポストはポスト予脆弱化領域（２２）を有していることを特徴とする、開封明示キャップ（２）。
【請求項２】
前記側壁（１２）は、前記パネル（１０）の周縁に沿って環状に配置されている、請求項１記載の開封明示キャップ（２）。
【請求項３】
裂断ストリップ（１７）を画定する前記予脆弱化領域（１４）は、少なくとも２つのパーフォレーション、又は溝、又は材料を薄くした領域を有している、請求項１記載の開封明示キャップ（２）。
【請求項４】
前記裂断ストリップピン（３０）は、前記キャップが前記容器閉鎖栓（１００）に係合したときに、前記容器閉鎖栓に形成された凹部（１０２）に嵌合し、前記キャップの回転を阻止するように寸法設定されている、請求項１記載の開封明示キャップ（２）。
【請求項５】
前記裂断ストリップ（１７）から延在するタブ（１８）を有している、請求項１記載の開封明示キャップ（２）。
【請求項６】
前記タブ（１８）は、使用者の指を受け入れるように寸法設定された開口を有している、請求項５記載の開封明示キャップ（２）。
【請求項７】
前記中央ポスト（２０）は、雄ねじ山（２４）を有している、請求項１記載の開封明示キャップ（２）。
【請求項８】
前記ポスト予脆弱化領域（２２）は、パーフォレーション、又は溝、又は材料を薄くした領域を有している、請求項１記載の開封明示キャップ（２）。
【請求項９】
前記ポスト予脆弱化領域（２２）は、前記パネル（１０）と、前記中央ポスト（２０）の雄ねじ山（２４）区分との間に環状に形成されている、請求項１記載の開封明示キャップ（２）。
【請求項１０】
前記中央ポスト（２０）の雄ねじ山（２４）は、前記容器閉鎖栓（１００）の雌ねじ山区分（１０４）にスナップ嵌合し、回転運動により前記容器閉鎖栓から取り外すことができるように構成されている、請求項７記載の開封明示キャップ（２）。
【請求項１１】
前記キャップの周縁に位置する縁部開封明示機能を形成する少なくとも１つの予脆弱化シーム（１６）をさらに有する、請求項１記載の開封明示キャップ（２）。
【請求項１２】
前記少なくとも１つの予脆弱化シーム（１６）は、前記パネル（１０）及び前記側壁（１２）に形成されるパーフォレーション、又は溝、又は材料を薄くした領域を有している、請求項１１記載の開封明示キャップ（２）。
【請求項１３】
複数の予脆弱化シーム（１６）を有している、請求項１１記載の開封明示キャップ（２）。
【請求項１４】
容器閉鎖アッセンブリであって、容器の開口に係合し、該開口を閉鎖するように形成された容器閉鎖栓（１００）と、該容器閉鎖栓に係合するための開封明示キャップ（２）とを有していて、該キャップは、前記容器閉鎖栓に面する面と、裂断ストリップ（１７）を画定する予脆弱化領域（１４）とを有したパネル（１０）を有しており、前記裂断ストリップは、前記容器閉鎖栓に面する面から延在していてかつ前記容器閉鎖栓に形成された凹部（１０２）内に受容されるように構成された裂断ストリップピン（３０）を有していて、前記キャップはさらに、前記容器閉鎖栓に面する面から延在する側壁（１２）と、前記パネルの中央領域から軸方向に延在する中央ポスト（２０）と、を有している、容器閉鎖アッセンブリにおいて、
前記中央ポストは、前記容器閉鎖栓に係合するように構成されていて、前記中央ポストはポスト予脆弱化領域（２２）を有している、容器閉鎖アッセンブリ。
【請求項１５】
前記中央ポスト（２０）は雄ねじ山（２４）を有している、請求項１４記載の容器閉鎖アッセンブリ。
【請求項１６】
前記容器閉鎖栓（１００）は、スナップ嵌合式係合により前記雄ねじ山（２４）のうちの少なくとも１つを受容するように寸法設定された雌ねじ山を含む、請求項１５記載の容器閉鎖アッセンブリ。
【請求項１７】
容器閉鎖栓（１００）に係合するための開封明示キャップ（２）であって、該キャップは、前記容器閉鎖栓に面する面と、裂断ストリップ（１７）を画定する予脆弱化領域（１４）とを有したパネル（１０）を有しており、前記裂断ストリップは、前記容器閉鎖栓に面する面から延在していて、かつ前記キャップが前記容器閉鎖栓に係合するときに前記容器閉鎖栓に形成された凹部（１０２）に嵌合して、前記キャップの回転を阻止するように構成された裂断ストリップピン（３０）を有していて、前記キャップはさらに、前記容器閉鎖栓に面する面から延在する側壁（１２）と、前記パネルの中央領域から軸方向に延在する中央ポスト（２０）と、を有している、開封明示キャップにおいて、
前記中央ポストは、前記容器閉鎖栓に係合するように構成されていて、前記中央ポストは、前記パネルと前記中央ポストの雄ねじ山区分（２４）との間に環状に形成されたポスト予脆弱化領域（２２）を有しており、縁部開封明示機能を画定する少なくとも１つの予脆弱化シーム（１６）が前記キャップの周縁に位置している、開封明示キャップ。
【請求項１８】
前記少なくとも１つの予脆弱化シーム（１６）は、前記パネル（１０）及び前記側壁（１２）に形成されるパーフォレーション、又は溝、又は材料を薄くした領域を有している、請求項１７記載の開封明示キャップ（２）。
【請求項１９】
複数の予脆弱化シーム（１６）を有している、請求項１７記載の開封明示キャップ（２）。
【請求項２０】
前記中央ポスト（２０）の前記雄ねじ山（２４）は、前記容器閉鎖栓（１００）の雌ねじ山区分（１０４）にスナップ嵌合し、回転運動により前記容器閉鎖栓から取り外すことができるように構成されている、請求項１７記載の開封明示キャップ（２）。
【発明の詳細な説明】
【技術分野】
【０００１】
発明の分野
本発明は、容器閉鎖体用の開封明示装置の分野に関する。より具体的には、本発明は、容器閉鎖栓用の開封明示キャップに関する。
【０００２】
発明の背景
閉鎖栓を備えたドラム缶のような容器は、様々な材料の貯蔵及び／又は搬送のために使用することができ、様々な材料のいくつかは、危険物及び／又は高価なものである場合がある。従って、このような容器については、開封されたことが気付かれないような開封を防止する方式で密封されるのが有効である。
【０００３】
発明の概要
容器閉鎖栓に嵌め込まれるように構成された開封明示キャップが開示されている。
【０００４】
１つの実施の形態によると、開封明示機能を含む開封明示キャップが設けられている。さらなる実施の形態によると、開封明示裂断ストリップと開封明示ポストとを含む開封明示キャップが設けられている。別のさらなる実施の形態によると、１つ以上の開封明示裂断シームを含む開封明示キャップが設けられている。
【０００５】
さらなる実施の形態では、容器閉鎖栓に係合するための開封明示キャップであって、該キャップは、前記容器閉鎖栓に面する面と、裂断ストリップを画定する予脆弱化領域とを有したパネルを含み、前記裂断ストリップは、前記閉鎖栓に面する面から延在していてかつ前記容器閉鎖栓によって受容されるために構成された裂断ストリップピンを有していて、前記キャップはさらに、前記閉鎖栓に面する面から延在する側壁と、前記パネルの中央領域から軸方向に延在する中央ポストとを有している、開封明示キャップにおいて、前記中央ポストは、前記容器閉鎖栓に係合するように構成されていて、前記中央ポストはポスト予脆弱化領域を有している。前記側壁は、前記パネルの周縁に沿って環状に配置されていてよい。
【０００６】
裂断ストリップを画定する前記予脆弱化領域は、少なくとも２つのパーフォレーション、又は溝、又は隣接する領域に比べて減じられた厚さを有する薄い材料領域、又は類似のものを含んでいてよい。予脆弱化領域は、等間隔に配置された、即ち平行に配置されたパーフォレーション、溝等により画定されてよい。前記裂断ストリップピンは、前記キャップが前記容器閉鎖栓に係合したときに、前記容器閉鎖栓に形成された凹部に嵌合し、前記キャップの回転を阻止するように寸法設定されている。いくつかの実施の形態では、使用者による取り扱いを容易にし、使用者のための安全な把持部を提供するために、裂断ストリップは、該裂断ストリップから延在するタブを含んでいる。タブは任意の使用し易い形状であってよく、例えば、使用者の指を受け入れるように寸法設定された開口を有するリングのような形状であってよいが、これに限定されるものではない。
【０００７】
別の実施の形態では、中央ポストは、容器閉鎖栓の雌ねじ山に係合するための雄ねじ山を含む。ポスト予脆弱化領域は、例えばパーフォレーション、又は溝、又は材料の薄くされた領域等により、又はそれらとして形成されてよい。前記ポスト予脆弱化領域は、前記パネルと、前記中央ポストの雄ねじ山区分との間に環状に形成されていてよい。前記中央ポストの雄ねじ山は、前記容器閉鎖栓の雌ねじ山区分にスナップ嵌合し、回転運動により前記容器閉鎖栓から取り外すことができるように構成されている。
【０００８】
さらなる実施の形態では、開封明示キャップは、前記キャップの周縁に位置する縁部開封明示機能を形成する少なくとも１つの予脆弱化シームをさらに有していてよい。予脆弱化シームは、例えば、パネル及び側壁に形成された、パーフォレーション、又は溝、又は材料の薄くされた領域等により、又はそれらとして形成されてよい。いくつかの実施の形態では、開封明示キャップは、複数の予脆弱化シームを含んでいる。
【０００９】
別の実施の形態では、容器閉鎖アッセンブリが開示されていて、該容器閉鎖アッセンブリは、容器の開口に係合し、該開口を閉鎖するように形成された閉鎖栓と、該容器閉鎖栓に係合するための開封明示キャップとを有していて、該キャップは、前記容器閉鎖栓に面する面と、裂断ストリップを画定する予脆弱化領域とを有したパネルを含んでおり、前記裂断ストリップは、前記閉鎖栓に面する面から延在していてかつ前記容器閉鎖栓に形成された凹部内に受容されるように構成された裂断ストリップピンを有していて、前記キャップはさらに、前記閉鎖栓に面する面から延在する側壁と、前記パネルの中央領域から軸方向に延在する中央ポストと、を有している、容器閉鎖アッセンブリにおいて、前記中央ポストは、前記容器閉鎖栓に係合するように構成されていて、前記中央ポストはポスト予脆弱化領域を有している。
【００１０】
さらに別の実施の形態では、容器閉鎖栓に係合するための開封明示キャップが開示されていて、該キャップは、前記容器閉鎖栓に面する面と、裂断ストリップを画定する予脆弱化領域とを有したパネルを有しており、前記裂断ストリップは、前記閉鎖栓に面する面から延在していて、かつ前記キャップが前記容器閉鎖栓に係合するときに前記容器閉鎖栓に形成された凹部に嵌合して、前記キャップの回転を阻止するように構成された裂断ストリップピンを有していて、前記キャップはさらに、前記閉鎖栓に面する面から延在する側壁と、前記パネルの中央領域から軸方向に延在する中央ポストと、を有している、開封明示キャップにおいて、前記中央ポストは、前記容器閉鎖栓に係合するように構成されていて、前記中央ポストは、前記パネルと前記中央ポストの雄ねじ山区分との間に環状に形成されたポスト予脆弱化領域を含み、縁部開封明示機能を画定する少なくとも１つの予脆弱化シームが前記キャップの周縁に位置している。
【００１１】
本明細書で説明したいくつかの態様の基本的理解を提供するために、簡単な概要を上述した。この概要は、広範囲な概観ではなく、主要な要素及び重要な要素を認識しようとするものではなく、又は請求の範囲の対象の範囲を表そうとするものではない。
【００１２】
開封明示キャップの実施の形態は、添付の図面および明細書に開示されている。
【００１３】
従って、当業者は、開示されたシステム及び方法をいかにして形成し使用するかをよりよく理解できるだろう。添付の図面が参照される。
【図面の簡単な説明】
【００１４】
【図１】開示された対象物の実施形態による、破線で示された予脆弱化領域（エレメント１４）を有した開封明示キャップを示す斜視図である。
【図２】開示された対象物の実施形態による、破線で示されたいくつかの機能を有した開封明示キャップを示す上方から見た平面図である。
【図２Ａ】図２のＡ−Ａ線に沿った開封明示キャップを示す側方断面図である。
【図２Ｂ】図２の細部Ｂの拡大図である。
【図２Ｃ】図２の細部Ｃの拡大図である。
【図３】開示された対象物の実施形態による、Ｄ’−Ｄ’線に沿った部分断面を含む、開封明示キャップを示す側方図である。
【図３Ａ】図３の細部Ｄの拡大図である。
【図４】開示された対象物の１つの実施形態による、樽栓閉鎖装置に対して位置する開封明示キャップを示す側方断面図である。
【図５】開示された対象物の１つの実施形態による、樽栓閉鎖装置に対して位置する開封明示キャップを、破線で示されたいくつかのエレメントと共に示す上方からの斜視図である。
【図６】開示された対象物の１つの実施形態による、下方に向かう力をかけることにより樽栓閉鎖体に係合することができる開封明示キャップを説明する図示の方向矢印と共に、破線で示されたいくつかのエレメントを有する開封明示キャップを示す上方からの斜視図である。
【図７】開示された対象物の１つの実施形態による、樽栓閉鎖装置に係合させられた開封明示キャップを示す側方断面図である。
【図８】開示された対象物の実施形態による開封明示キャップを示す下方から見た平面図である。
【図９】開示された対象物の１つの実施形態による、タブ部材に上方に向かう力をかけ、キャップに回転力をかけることにより、樽栓閉鎖体から取り外すことができる開封明示キャップを説明する図示の方向矢印と共に、破線で示されたいくつかのエレメントを有する開封明示キャップを示す上方からの斜視図である。
【００１５】
発明の詳細な説明
以下に、本発明を実施する際に当業者の参考となるように提供される本発明の詳細な説明を記載する。そうでないことが定義されない限り、本明細書において使用される全ての用語（技術用語及び科学用語を含む）は、本発明が属する技術の分野における当業者によって一般的に理解されるのと同じ意味を有する。一般的に使用される辞書に定義されたような用語は、関連技術の文脈における意味と一貫する意味を有するものと解されるべきであり、ここにそのように明示的に定義されない限り、理想化された又は過剰に形式的な意味に解されることはない。そうでないことが示されない限り、又は定義されない限り、本明細書において使用される全ての技術用語及び科学用語は、本発明が属する技術の分野における当業者によって一般的に理解されるのと同じ意味を有する。本明細書において使用される用語は、特定の実施の形態を説明するためだけのものであり、限定することを意図したものではない。
【００１６】
よく知られている機能又は構造は、簡潔性及び／又は明瞭性のために詳しくは記載しない。
【００１７】
図１〜図２Ａに示したように、開封明示キャップ２は上部パネル１０と、側壁１２と、上部パネル予脆弱化領域１４と、裂断シーム１６と、裂断ストリップ１７と、中央ポスト２０と、ポスト予脆弱化領域２２と、裂断ストリップピン３０とを有している。キャップ２は、プラスチックを型に流し込んで成形されていてよい、又はその他のプラスチック成形法により成形されていてよい。
【００１８】
上部パネル１０は、キャップ２の閉鎖面を形成し、これは任意の適切な寸法及び形状のものであってよい。上部パネル１０に形成された予脆弱化領域１４は裂断ストリップ１７を画定する。予脆弱化領域１４は、パーフォレーション、溝、隣接するパネル領域よりも薄くされた上部パネルの領域等の形状を成していてよい。
【００１９】
側壁１２は、上部パネルの周縁から下方に延びていて、環状の又は半環状の壁を形成してよい。さらに図２Ｂを参照すると、複数の裂断シーム１６が、上部パネル１０の周縁に沿って形成されていて、側壁１２へと延びている。
【００２０】
中央ポスト２０は、上部パネル１０の中央領域から延在していて、ポストねじ山領域２４と、ポスト予脆弱化領域２２とを含んでいる。ポスト予脆弱化領域２２は、パーフォレーション、溝、又は中央ポスト２０に形成された隣接するポスト領域に比べて減じられた厚さを有する薄いウェブ又は材料領域を含んでいてよい。さらに図２Ｃに示されたように、ポスト予脆弱化領域２２は、上部パネル１０とポストねじ山領域２４との間に配置されていてよい。
【００２１】
さらに図３及び図３Ａに示されたように、裂断ストリップ１７からは裂断ストリップピン３０が延在している。
【００２２】
さらに図４を参照すると、１つの態様によれば、開封明示キャップ２は、樽栓閉鎖プラグ（bung closure plugs）のような市販されている容器閉鎖体と連結して使用することができる。さらに図５〜図６に示されたように、裂断ストリップ１７から延在する裂断ストリップピン３０は、栓１００の凹部ラグ領域１０２に係合するように構成されている。ポストねじ山領域２４は、栓１００のねじ山付きコア１０４に係合するように構成されている。１つの実施の形態では、中央ポスト２０は一般的に円筒状の形状であり、中央ポストの環状壁の外面に配置されたポストねじ山領域２４を含んでいる。図２Ｃに示したように、ポストねじ山領域２４は、中央ポスト２０が栓１００のねじ山付きコア１０４内にスナップ嵌合できるように構成された前縁と、キャップ２を回転運動させることなくキャップ２が取り外されるのを阻止する後縁とを有したねじ山を含む。
【００２３】
栓１００への開封明示キャップ２の取り付けは、裂断ストリップピン３０を栓１００の凹部ラグ領域１０２に対して、かつ中央ポスト２０を栓１００のねじ山付きコア１０４に対して、整列させることにより達成される。これらの構成部品が整列すると、栓１００上に密接している開封明示キャップ２へかけられる下向きの圧力により、ねじ山領域２４と、栓のねじ山付きコア１０４とがスナップ嵌合することにより、開封明示キャップ２は栓１００に係合させられる。
【００２４】
図２〜図３及び図７を参照すると、開封明示キャップ２の第１の開封明示機能は、裂断ストリップ１７と、裂断ストリップ１７から延在する裂断ストリップピン３０に存在している。裂断ストリップピン３０は、キャップ２が栓１００内に挿入されている場合、キャップ２の回転運動を阻止することにより、キャップ２を栓１００内にロックする。回転運動により、即ち中央ポスト２０を栓１００のねじ山付きコア１０４からねじって外すことにより、キャップ２を取り外す唯一の方法は、裂断ストリップ１７を除去することである。裂断ストリップ１７の除去により、栓１００のラグ凹部１０４から裂断ストリップピン３０が取り外され、これにより栓１００からキャップ２をねじって外すことに対する障害がなくなる。
【００２５】
開封明示キャップ２の第２の開封明示機能は、中央ポスト２０のポスト予脆弱化領域２２にある。記載したように、ポスト予脆弱化領域２２は、パーフォレーション、溝、又はキャップ２の中央ポスト２０に形成された隣接するポスト領域に比べて減じられた厚さを有する薄いウェブ又は材料領域を含んでいてよい。（栓１００からキャップ２をねじって外すのではない）ねじ山付きコア１０４からキャップ２を引き出すためのあらゆる試みは、応力の視覚的しるし、プラスチックの延伸、ポスト予脆弱化領域２２の裂断となろう。キャップ２が、ポスト予脆弱化領域２２が裂断するのに十分な強さで引っ張られた場合、キャップ２は、栓１００のねじ山付きコア１０４内側に、ねじ山領域２４を含む中央ポスト２０の部分のみを残して取れるだろう。
【００２６】
図２、図２Ｂ、図８を参照すると、開封明示キャップ２の第３の開封明示機能は、キャップ２の周縁に沿って配置された裂断シーム１６に存在している。裂断シーム１６は、パーフォレーション、溝、又はキャップの上面１０の縁部と側壁１２に形成された隣接する領域に比べて減じられた厚さを有する薄い材料のウェブ又は材料領域を含んでいてよい。裂断シーム１６は、何者かが、キャップ２の側壁１２の下方からつかむことにより栓１００からキャップ２を引き離そうとした場合に、応力を顕示するように構成されていて、そのように機能する。取り外しを試みる場合に加えられるような上方に向かう力がキャップ２に加えられると、裂断シーム１６のいくつか又は全てが裂断されるだろう。１つの実施の形態では、キャップ２は８つの裂断シーム１６を含んでいるが、当業者には、より多くの又はより少ない裂断シーム１６を使用することができることがわかるだろう。
【００２７】
さらに図９に示したように、開封明示キャップ２の栓１００からの取り外しは、適正には、キャップ２から裂断ストリップ１７を除去し、次いで栓１００からキャップ２をねじって外すことにより達成される。１つの実施の形態では、裂断ストリップ１７の除去を容易にするために、キャップ２は裂断ストリップから延在するタブ１８を有している。タブ１８は、使用者の指を受け入れるように寸法設定された開口を有していてよい。使用者は、指をタブ１８に置き、裂断ストリップピン３０が栓１００の凹部ラグ１０２から外れるまで、矢印で示したように上方かつキャップ２の中央に向かって引っ張ることができる。裂断ストリップピン３０が凹部ラグ１０２から外れると、キャップ２を栓１００からねじって外すために、（矢印で示したような）ねじ外し方向でのキャップ２の回転が操作可能になる。
【００２８】
本明細書での開示は、特定の実施の形態につき説明したが、これらの実施の形態は、原理及び本明細書の実施形態の適用の単なる例示であることを理解されたい。従って、本発明の思想および範囲から逸脱することなく、図示した実施形態に対して複数の改良が行われてよく、かつ他の装置が考案されてよいことが理解されるべきである。本明細書で言及した全ての出版物、特許出願、特許、図面及びその他の参照は、その全体が参照により明示的に組み込まれる。
【図１】
0006483143.tif 000002
【図２】
0006483143.tif 000003
【図２Ａ】
0006483143.tif 000004
【図２Ｂ】
0006483143.tif 000005
【図２Ｃ】
0006483143.tif 000006
【図３】
0006483143.tif 000007
【図３Ａ】
0006483143.tif 000008
【図４】
0006483143.tif 000009
【図５】
0006483143.tif 000010
【図６】
0006483143.tif 000011
【図７】
0006483143.tif 000012
【図８】
0006483143.tif 000013
【図９】
0006483143.tif 000014